(57)【特許請求の範囲】
【請求項１】
用紙供給部と、
前記用紙供給部から読取部を通り用紙排出部へ、用紙が反転されながら搬送される搬送経路と、
前記搬送経路から分岐して前記読取部を通らずに前記用紙排出部へ、用紙が反転されながら搬送される反転経路と、
前記反転経路の終端部に配設される正逆転可能な反転ローラと、
前記反転経路の終端部に配設され、前記反転ローラに圧接して従動するプレスローラと、
前記反転経路の終端部から前記読取部へ用紙が搬送される戻し経路と、
前記戻し経路と前記反転経路との分岐部に配設され、前記反転経路を搬送される用紙を前記戻し経路へ移送可能とするガイド部材と、
を備えた用紙搬送装置であって、
前記プレスローラのローラ軸と一体的に回転する第一ギヤと、
前記第一ギヤと噛合する第二ギヤと、
前記第二ギヤと噛合し回転軸を前記ローラ軸と一致させた内歯ギヤである第三ギヤと、
前記第三ギヤと前記ガイド部材との間に介装されるトルクリミッタと、
を備えていることを特徴とする用紙搬送装置。
【発明の詳細な説明】
【０００１】
【発明の属する技術分野】
本発明は、用紙を順次給送して、該用紙の第一面と第二面との両面の読み取りを行うことを可能とする用紙搬送装置に関する。
【０００２】
【従来の技術】
従来から、原稿を順次給送して、画像読取装置により該原稿の読み取りを行うことを可能とする自動給紙装置等の用紙搬送装置においては、該用紙搬送装置内にて原稿の搬送方向を反転させるとともに原稿の表裏を逆転させて、該原稿の第一面と第二面との両面の読み取りを行うことを可能としたものがある。
このように構成した用紙搬送装置では、原稿の搬送方向を反転させる場合に、反転の前後で原稿の搬送経路が異なるものがあり、反転前後の搬送経路の分岐部にガイド部材を設けて、該ガイド部材により用紙が搬送される経路の切り換えを行うようにしていた。
【０００３】
【発明が解決しようとする課題】
前述のガイド部材は、ソレノイド等の電気的な制御を要する部材により駆動されて搬送経路を切り換えるように構成されていたが、ガイド部材の駆動を電気的に行う場合は、原稿を搬送するためのフィードローラの回転駆動の制御と同期させて駆動する等の必要があり、搬送系のプログラム制御が複雑となっていた。
そこで、本発明においては、プログラム制御を複雑とすることなく、ガイド部材を簡単に駆動することが可能な用紙搬送装置を提供するものである。
【０００４】
【課題を解決するための手段】
本発明は、以上のような課題を解決すべく、次のような手段を用いるものである。即ち、請求項１記載の如く、用紙供給部と、
前記用紙供給部から読取部を通り用紙排出部へ、用紙が反転されながら搬送される搬送経路と、
前記搬送経路から分岐して前記読取部を通らずに前記用紙排出部へ、用紙が反転されながら搬送される反転経路と、
前記反転経路の終端部に配設される正逆転可能な反転ローラと、
前記反転経路の終端部に配設され、前記反転ローラに圧接して従動するプレスローラと、
前記反転経路の終端部から前記読取部へ用紙が搬送される戻し経路と、
前記戻し経路と前記反転経路との分岐部に配設され、前記反転経路を搬送される用紙を前記戻し経路へ移送可能とするガイド部材と、
を備えた用紙搬送装置であって、
前記プレスローラのローラ軸と一体的に回転する第一ギヤと、
前記第一ギヤと噛合する第二ギヤと、
前記第二ギヤと噛合し回転軸を前記ローラ軸と一致させた内歯ギヤである第三ギヤと、
前記第三ギヤと前記ガイド部材との間に介装されるトルクリミッタと、
を備えていることを特徴とする用紙搬送装置とする。
【０００７】
【発明の実施の形態】
本発明の実施の形態を、添付の図面より説明する。図１は本発明の用紙搬送装置が装着された画像読取装置を具備するファクシミリ装置を示す斜視図、図２は同じく正面断面図、図３は用紙搬送装置が構成されるＡＤＦ装置を示す側面断面図、図４は第二ガイド部材の部分の構成を示す側面図、図５は同じく平面図、図６はギア機構を示す側面図である。
【０００８】
まず、本発明の用紙搬送装置が装着された画像読取装置を具備するファクシミリ装置の概略構成について、図１、図２により説明する。
ファクシミリ装置Ｆは、記録装置１の上方に画像読取装置２を配置して構成され、該画像読取装置２は、記録装置１に対して回動支点１ａを中心に上下回動可能とされている。記録装置１には記録装置３及び給紙カセット４がそれぞれ上下に内装されており、給紙カセット４内に堆積される用紙を記録装置３へ給紙して記録した後に、記録紙排出トレイ５から排出するように構成している。
【０００９】
一方、画像読取装置２においては、上面を透明状の静止原稿載置面１４とした読取ケース１３内に読取装置６を収納しており、該静止原稿載置面１４上に載置された原稿を該読取装置６により走査して、読み取りを行うようにしている
また、読取ケース１３の上方には、その一辺を中心として開閉可能に構成されるプラテンカバー７が配置され、該プラテンカバー７により静止原稿載置面１４上に載置された原稿を上方から押えるものとしている。
【００１０】
プラテンカバー７の一端部には原稿を自動的に給紙する自動給紙装置（ＡＤＦ装置）８が付設され、該自動給紙装置８は給紙装置１１と用紙搬送装置１２とにより構成されている。
そして、原稿供給トレイ９に載置した原稿等の用紙を、給紙装置１１により一枚ずつピックアップして給紙口８ａから用紙搬送装置１２へ給送し、該用紙搬送装置１２により原稿を静止原稿載置面１４の一端部の読取部１０へ搬送し、その内容を読取装置６により読み取った後に、排紙口８ｂからプラテンカバー７の上面に形成される原稿排出トレイ７ｃへ排出するように構成している。
【００１１】
即ち、画像読取装置２は、読取装置６を走査させて静止原稿を読み取るフラットベッドタイプのスキャナとして用いるとともに、読取装置６を読取部１０に位置固定して原稿を給送しながら読み取りを行うシートフィードタイプのスキャナとして用いることができるように構成されている。
【００１２】
また、読取ケース１３の一側方にはキーパネル１５が付設され、該キーパネル１５の各種操作キーを操作することにより、原稿内容の読み取りを行ったり、読み取った内容をファクシミリ送信する際の送信先の設定を行ったり、受信内容や読み取った内容の記録装置３による記録を行ったりするようにしている。
【００１３】
次に、ＡＤＦ装置８における用紙搬送装置１２の構成について説明する。
図３に示すように、給紙装置１１が配置される給紙口８ａから読取部１０までの間には、側面視略Ｃ字状の第一搬送路Ｒ１が形成され、読取部１０から排紙口８ｂまでの間には排出路Ｒ３が形成されている。
給紙装置１１の下流側には、該給紙装置１１により一枚ずつ繰り出された原稿を第一搬送路Ｒ１へ搬送するフィードローラ２４・２５が配設されている。
第一搬送路Ｒ１の終端部及び排出路Ｒ３の始端部にはフィードローラ２８が配設され、読取部１０の上方に配置されている。また、排出路Ｒ３の終端部にはエキストローラ２６及び該エキストローラ２６に圧接するプレスローラ２９が配設されている。
【００１４】
前記第一搬送路Ｒ１におけるフィードローラ２４・２５の下流側近傍からは、側面視略Ｃ字状の第二搬送路Ｒ２が形成されており、該第二搬送路Ｒ２の終端部は前記排紙口８ｂの上方に配置されている。
前記エキストローラ２６は、上下に配置される排出路Ｒ３の終端部と第二搬送路Ｒ２の終端部との間に配置され、該第二搬送路Ｒ２の終端部には、エキストローラ２６に圧接するプレスローラ２７が配設されている。
【００１５】
第二搬送路Ｒ２の終端部からはフィードローラ２８側へ戻し路Ｒ４が延出し、該戻し路Ｒ４は第一搬送路Ｒ１の下部と接続されている。また、前記排出路Ｒ３の終端部からは連結路Ｒ５が延出し、該連結路Ｒ５は戻し路Ｒ４の途中部と接続されている。
【００１６】
第一搬送路Ｒ１と第二搬送路Ｒ２との分岐部には、ａ位置とｂ位置とに位置切換可能な第一ガイド部材３７が設けられ、第二搬送路Ｒ２と戻し路Ｒ４との分岐部には、ｃ位置とｄ位置とに位置切換可能な第二ガイド部材３８が設けられ、排出路Ｒ３と連結路Ｒ５との分岐部には、ｅ位置とｆ位置とに位置切換可能な第三ガイド部材３９が設けられている。
【００１７】
次に、このように構成された用紙搬送装置１２により、原稿供給トレイ９に載置した原稿を搬送し、読取部１０にて、その内容を読み取る際の機構について説明する。
まず、原稿の片面のみの読み取りを行う際には、読取面を上方に向けて原稿供給トレイ９に原稿を載置する。
原稿供給トレイ９に載置された原稿は、給紙装置１１により一枚ずつ分離されて第一搬送路Ｒ１へ繰り出され、該フィードローラ２４・２５により下流側へ搬送される。
【００１８】
この場合、前記第一ガイド部材３７はａ位置に切り換えられ、該第一ガイド部材３７により第二搬送路Ｒ２の始端部が閉じられているので、フィードローラ２４・２５により搬送される原稿は、第一搬送路Ｒ１を読取部１０側へ搬送される。搬送される原稿の先端部が読取部１０に近づくと、該原稿は、回転駆動される前記フィードローラ２８及び該フィードローラ２８に圧接する従動ローラ３２に受け継がれ、さらに搬送されて読取部１０へ達する。
読取部１０へ達した原稿は、その内容を読み取られた後、フィードローラ２８及び該フィードローラ２８に圧接する従動ローラ３３により排出路Ｒ３へ搬送され、その後、該排出路Ｒ３の終端部に配設されるエキストローラ２６及び該エキストローラ２６に圧接するプレスローラ２９によって、排紙口８ｂから原稿排出トレイ７ｃへ排出される。
【００１９】
また、原稿の両面を読み取る場合の機構について説明する。尚、本説明では、原稿供給トレイ９に載置された原稿の下面を第一面と、上面を第二面と称する。
原稿の両面を読み取る場合には、初期状態として、第一ガイド部材３７がｂ位置に切り換えられるとともに、第二ガイド部材３８がｄ位置に切り換えられている。
【００２０】
給紙装置１１により一枚ずつ分離されて第一搬送路Ｒ１へ繰り出されて、フィードローラ２４・２５により下流側へ搬送される原稿は、第一搬送路Ｒ１が第一ガイド部材３７により閉じられており、第二搬送路Ｒ２が開口しているので、該第二搬送路Ｒ２側へ搬送される。
第二搬送路Ｒ２を搬送される原稿は、第二ガイド部材３８がｄ位置に切り換えられているので、エキストローラ２６とプレスローラ２７とのニップ部に案内され、該エキストローラ２６とプレスローラ２７とにより、原稿排出トレイ７ｃの上方の空間に搬送される。原稿排出トレイ７ｃの上方の空間に搬送された状態の原稿は、原稿供給トレイ９に載置された状態から反転しており、原稿の第一面は上面に位置している。即ち、第二搬送路Ｒ２は、原稿供給トレイ９に載置された原稿を反転させながら搬送する反転経路である。
尚、この場合、エキストローラ２６はｐ１方向に回転駆動され、プレスローラ２７はｑ１方向へ従動回転し、第二ガイド部材３８はｄ位置に切り換えられた状態を維持している。
【００２１】
エキストローラ２６とプレスローラ２７とにより搬送される原稿の後端部が、該エキストローラ２６とプレスローラ２７とのニップ部近傍にまで達すると、エキストローラ２６及びプレスローラ２７の回転方向が逆転するとともに、第二ガイド部材３８がｃ位置へ切り換えられる。
即ち、エキストローラ２６がｐ２方向へ回転駆動され、プレスローラ２７がｑ２方向へ従動回転し、第二ガイド部材３８により第二搬送路Ｒ２が閉じられるとともに戻し路Ｒ４が開口するため、原稿はスイッチバックされて戻し路Ｒ４を第一搬送路Ｒ１側へ搬送される。
【００２２】
戻し路Ｒ４を搬送される原稿はフィードローラ２８及び従動ローラ３１により第一搬送路Ｒ１へ搬送された後、該フィードローラ２８及び従動ローラ３２により読取部１０まで搬送される。即ち、戻し路Ｒ４は、第二搬送路Ｒ２の終端部へ搬送された原稿を搬送して読取部１０へ案内する戻し経路である。
読取部１０まで搬送された原稿は、第一面の内容を読み取られた後に、フィードローラ２８及び従動ローラ３３により排出路Ｒ３へ搬送される。
この場合、第三ガイド部材３９はｆ位置に切り換えられており、排出路Ｒ３へ搬送された原稿は、ｐ２方向へ回転駆動されるエキストローラ２６及びｒ２方向へ従動回転するプレスローラ２９によって、原稿排出トレイ７ｃ側へさらに搬送される。原稿排出トレイ７ｃ側へ搬送される原稿は、第一面が上面に、第二面が下面に位置している。
【００２３】
原稿の後端部がエキストローラ２６とプレスローラ２９とのニップ部近傍まで達すると、エキストローラ２６及びプレスローラ２７の回転方向が逆転するとともに、第三ガイド部材３９がｅ位置へ切り換えられる。
即ち、エキストローラ２６がｐ１方向へ回転駆動され、プレスローラ２９がｒ１方向へ従動回転し、第三ガイド部材３９により排出路Ｒ３が閉じられるとともに連結路Ｒ５が開口するため、原稿はスイッチバックされて、連結路Ｒ５を通じて戻し路Ｒ４を第一搬送路Ｒ１側へ搬送される。
【００２４】
戻し路Ｒ４を搬送される原稿はフィードローラ２８及び従動ローラ３１により第一搬送路Ｒ１へ搬送された後、該フィードローラ２８及び従動ローラ３２により読取部１０まで搬送される。
読取部１０まで搬送された原稿は、第二面が下面に位置しており、該第二面の内容を読み取られた後に、フィードローラ２８及び従動ローラ３３により排出路Ｒ３へ搬送される。
この場合、第三ガイド部材３９はｆ位置に切り換えられており、エキストローラ２６及びプレスローラ２９の回転方向は、それぞれｐ２方向及びｒ２方向へ切り換えられているので、原稿は、該エキストローラ２６及びプレスローラ２９によって、原稿排出トレイ７ｃへ排出される。
【００２５】
尚、第一面の読み取りが終了した後の原稿が、ｐ１方向に回転駆動されるエキストローラ２６及びｒ１方向に従動回転するプレスローラ２９によりスイッチバックされて、連結路Ｒ５を通じて戻し路Ｒ４を第一搬送路Ｒ１側へ搬送されているときには、次の原稿を第二搬送路Ｒ２へ搬送し、エキストローラ２６及びプレスローラ２７により原稿排出トレイ７ｃの上方の空間に搬送するように構成している。
【００２６】
また、第一搬送路Ｒ１における戻し路Ｒ４との合流部よりも下流側には位置検出センサ３６が設けられており、前記プレスローラ２９は下方に移動してエキストローラ２６との圧接状態を解除可能に構成されている。
そして、戻し路Ｒ４から第一搬送路Ｒ１へ搬送された原稿の先端が該位置検出センサ３６に検出されると、該プレスローラ２９が下方へ移動してエキストローラ２６との圧接状態を解除するとともに、該エキストローラ２６の回転駆動方向がｐ２方向へ切り換えられる。
【００２７】
これにより、第一搬送路Ｒ１へ搬送された原稿がフィードローラ２８及び従動ローラ３１・３２により読取部１０へ搬送されて第二面を読み取られている間に、原稿排出トレイ７ｃの上方の空間に搬送された次の原稿がスイッチバックされて、戻し路Ｒ４を搬送されることとなる。
その後、第二面を読み取られている原稿の後端を位置検出センサ３６が検出すると、プレスローラ２９が上方移動してエキストローラ２６と圧接され、該エキストローラ２６とプレスローラ２９とにより第二面を読み取られた原稿が原稿排出トレイ７ｃへ排出されるとともに、戻し路Ｒ４を搬送されていた次の原稿が第一搬送路Ｒ１へ達し、さらには読取部１０へ達して第一面の読取が開始される。
【００２８】
以上の如く、このように、用紙搬送装置１２においては、原稿の両面を読み取る場合には、まず、原稿を原稿供給トレイ９に載置された状態から第二搬送路Ｒ２に搬送して反転させ、その後スイッチバックして戻し路Ｒ４へ案内しさらに反転させて、原稿供給トレイ９に載置された状態での裏面（第一面）側を読み取り排出路Ｒ３へ搬送するようにしている。その後、排出路Ｒ３の終端部へ搬送した原稿を、スイッチバックして連結路Ｒ５を通じて戻し路Ｒ４へ案内し、再度反転させて表面（第二面）側を読み取るようにしている。
【００２９】
そして、第二搬送路Ｒ２の終端部まで搬送されて反転した原稿をスイッチバックする際には、第二搬送路Ｒ２と戻し路Ｒ４との分岐部に配置される第二ガイド部材３８を切り換えて該原稿を戻し路Ｒ４へ案内し、読取部１０へ案内するように構成しているので、第二搬送路Ｒ２の終端部へ反転しながら搬送されてきた原稿を、エキストローラ２６の回転駆動方向及び第二ガイド部材３８の切換位置を切り換えるだけの簡単な操作で、読取部１０へ搬送することが可能となるとともに、両面を読み取る際の原稿が搬送される経路の簡略化を図ることが可能となっている。
【００３０】
また、この場合、原稿の２面目である表面（第二面）側の読み取りを行うときに、次の原稿を、第二搬送路Ｒ２や戻し路Ｒ４を通じて読取部１０へ向かって搬送することができるようにしているので、読取途中の原稿の読み取りが終わり次第、次の原稿をすぐさま読取部１０まで搬送することが可能であり、読取時間の大幅な短縮を実現している。
【００３１】
次に、第二搬送路Ｒ２と戻し路Ｒ４との分岐部に配置され、原稿の搬送方向を切り換えるための第二ガイド部材３８について説明する。
図４乃至図６に示すように、回転駆動される前記エキストローラ２６に圧接するプレスローラ２７はローラ軸２７ａを中心に回転している。第二ガイド部材３８も該ローラ軸２７ａを中心に揺動可能であり、ローラ軸２７ａを中心に揺動することでｃ位置とｄ位置との位置切換を行うように構成されている。
【００３２】
プレスローラ２７とローラ軸２７ａとは一体的に回転可能であり、該ローラ軸２７ａと第二ガイド部材３８とは、ギア機構５１及びトルクリミッタ６１を介して連結されている。
ギア機構５１は、ローラ軸２７ａと一体的に回転する第一ギア５２と、該第一ギア５２と噛合する第二ギア５３と、第二ギア５３と噛合し回転中心をローラ軸２７ａと一致させた内歯ギアである第三ギア５４とで構成されている。
ローラ軸２７ａの端部はＡＤＦ装置８のフレーム８ｄに回転自在に支持されており、ギア機構５１における第二ギア５３の軸５３ａもフレーム８ｄに回転自在に支持されている。
【００３３】
このように構成されるギア機構５１においては、ローラ軸２７ａの回転により、例えば第一ギア５２が左回転すると、該第一ギア５２と噛合する第二ギア５３は右回転し、該第二ギア５３と噛合する第三ギア５４は右回転することとなる。即ち、第一ギア５２と第三ギア５４との回転方向が逆方向となるように構成されている。
【００３４】
また、トルクリミッタ６１は、ローラ軸２７ａに回転自在に支持されるケース６２と、該ケース６２内でローラ軸２７ａに回転自在に嵌装される付勢部材６３と、該ケース６２と付勢部材６３との間に介装され該付勢部材６３を第二ガイド部材３８側へ付勢する圧縮バネ６４と、付勢部材６３と第二ガイド部材３８との間に介装される摩擦部材６５とで構成されている。
摩擦部材６５は、圧縮バネ６４及び付勢部材６３により第二ガイド部材３８の側面に圧接されている。また、トルクリミッタ６１のケース６２と前記ギア機構５１の第三ギア５４とは一体的に回転可能に連結されている。
【００３５】
ギア機構５１及びトルクリミッタ６１は以上の如く構成されており、例えばエキストローラ２６がｐ１方向へ回転駆動されて、プレスローラ２７がｑ１方向へ従動回転すると、ローラ軸２７ａと一体的に回転する第一ギア５２はｑ１方向へ回転し、該第一ギア５２に対して逆回転する第三ギア５４は、トルクリミッタ６１のケース６２と一体的にｑ２方向へ回転することとなる。トルクリミッタ６１のケース６２がｑ２方向へ回転すると、圧縮バネ６４により第二ガイド部材３８側へ付勢される付勢部材６３もｑ２方向へ回転する。
付勢部材６３と第二ガイド部材３８との間には、摩擦部材６５により一定の摩擦力が付与されているため、該摩擦力により、該第二ガイド部材３８は付勢部材６３のｑ２方向への回転に伴ってｑ２方向へ回動、即ち上方回動する。
【００３６】
第二ガイド部材３８が上方回動してｄ位置へ達すると、該第二ガイド部材３８は上方に配置される上部ストッパピン３８ｂ（図４図示）に当接し、上方への回動を阻止される。
該上部ストッパピン３８ｂによる第二ガイド部材３８の上方回動を阻止する力は、摩擦部材６５からの摩擦力によって第二ガイド部材３８に付与される上方回動力よりも大きく、該第二ガイド部材３８はｄ位置で上方回動を停止し、付勢部材６３はケース６２とともにｑ２方向への回転を続ける。
即ち、エキストローラ２６がｐ１方向へ回転駆動されて、プレスローラ２７がｑ１方向へ回転すると、トルクリミッタ６１により第二ガイド部材３８がｃ位置からｄ位置まで上方回動される。
【００３７】
逆に、エキストローラ２６がｐ２方向へ回転駆動されて、プレスローラ２７がｑ２方向へ従動回転すると、前述の場合と同様に、ギア機構５１の第三ギア５４がトルクリミッタ６１のケース６２と一体的にｑ１方向へ回転し、第二ガイド部材３８が摩擦部材６５の摩擦力によりｄ位置からｃ位置まで回動し、ｃ位置へ達すると、該第二ガイド部材３８の下方に配置される下部ストッパピン３８ａに当接して停止する。
【００３８】
以上の如く、第二ガイド部材３８は、エキストローラ２６がｐ１方向へ回転駆動されるとｃ位置からｄ位置まで上方回動し、エキストローラ２６がｐ２方向へ回転駆動されるとｄ位置からｃ位置まで下方回動するといったように、エキストローラ２６の回転方向に応じて、その回動方向を切り換えられて揺動し、第二搬送路Ｒ２を開閉するように構成されてる。
このように、第二ガイド部材３８を、原稿の搬送方向を反転させる反転ローラとしてのエキストローラ２６の回転方向に応じて上下に揺動し、第二搬送路Ｒ２を開閉して原稿の案内方向を該第二搬送路Ｒ２と戻し路Ｒ４とに切り換えるように構成することで、第二搬送路Ｒ２により反転されながら該第二搬送路Ｒ２の終端部まで搬送されてきた原稿を、戻し路Ｒ４を通じて読取部１０へ案内する際の搬送経路の切り換えを、エキストローラ２６の回転方向を切り換えるだけで自動的に行うことができ、切換操作を簡略化することができる。
これにより、第二搬送路Ｒ２を通じて搬送されてきた原稿を、簡単に読取部１０へ搬送することが可能となる。
【００３９】
また、該第二ガイド部材３８とエキストローラ２６とは、プレスローラ２７やギア機構５１やトルクリミッタ６１を介して連結されており、第二ガイド部材３８の、エキストローラ２６の回転方向に応じての揺動方向の切り換えを、これらのギア機構５１やトルクリミッタ６１といった機械的な構造部材により実現しているので、該第二ガイド部材３８の駆動を、エキストローラ２６等の駆動と同期させたりして電気的に制御する必要もなく、用紙搬送装置１２のプログラム制御を簡素化することが可能となる。
これにより、第二搬送路Ｒ２を通じて搬送されてきた原稿を、簡単に読取部１０へ搬送することができる。
【００４０】
【発明の効果】
本発明は以上の如く構成したので、次のような効果を奏する。
戻し経路と反転経路との分岐部に配設されるガイド部材は、反転ローラに従動するプレスローラの回転方向と反対方向に揺動することにより、反転経路を開閉可能である。このため、反転経路の終端部へ反転しながら搬送されてきた用紙を、反転ローラの回転駆動方向及びガイド部材の切換位置を切り換えるだけの簡単な操作で、読取部へ搬送することが可能となるとともに、両面を読み取る際の用紙が搬送される経路の簡略化を図ることが可能となる。
また、反転経路により反転されながら該反転経路の終端部まで搬送されてきた用紙を、戻し経路を通じて読取部へ案内する際の搬送経路の切り換えを、反転ローラの回転方向を切り換えるだけで自動的に行うことができ、切換操作を簡略化することができる。これにより、反転経路を通じて搬送されてきた用紙を、簡単に読取部へ搬送することが可能となる。
更に、該ガイド部材の駆動を、反転ローラ等の駆動と同期させたりして電気的に制御する必要もなく、用紙搬送装置のプログラム制御を簡素化することが可能となる。
【図面の簡単な説明】
【図１】本発明の用紙搬送装置が装着された画像読取装置を具備するファクシミリ装置を示す斜視図である。
【図２】同じく正面断面図である。
【図３】用紙搬送装置が構成されるＡＤＦ装置を示す側面断面図である。
【図４】第二ガイド部材の部分の構成を示す側面図である。
【図５】同じく平面図である。
【図６】ギア機構を示す側面図である。
【符号の説明】
Ｆ  ファクシミリ装置
Ｒ２  第二搬送路
Ｒ４  戻し路
２  画像読取装置
７ｃ  原稿排出トレイ
８  ＡＤＦ装置
９  原稿供給トレイ
１２  用紙搬送装置
２６  エキストローラ
２７  プレスローラ
３８  第二ガイド部材
５１  ギア機構
６１  トルクリミッタ
【図１】
0004122686.tif 000002
【図２】
0004122686.tif 000003
【図３】
0004122686.tif 000004
【図４】
0004122686.tif 000005
【図５】
0004122686.tif 000006
【図６】
0004122686.tif 000007